(57)【要約】【課題】操作者が、同一患者についての多くの簡易画像の中から必要なものを容易に見つけ出すことができる表示装置を提供する。【解決手段】同一患者の簡易画像Ｍが、行方向において一の属性の付随情報毎に配置されるとともに、列方向において他の属性の付随情報毎に配置された一覧Ｘを表示部に表示させる表示制御部と、前記表示部に表示された複数の属性の中から操作者が所望の属性を選択して変更する入力と、前記表示部に表示された一覧Ｘにおいて、所望の付随情報を選択する入力とを行なう入力部と、を備え、前記表示制御部は、前記入力部によって変更された属性の付随情報毎に、前記簡易画像Ｍを再配置し、前記入力部によって選択された付随情報を有する簡易画像Ｍのみからなる一覧Ｘを表示させることを特徴とする。【選択図】図５
2014023687.tif 000002
【特許請求の範囲】
【請求項１】
複数の属性の付随情報をメタデータとして有する医療用データに基づく簡易画像の一覧を表示させる表示制御部であって、同一患者の前記簡易画像が、行方向において一の属性の付随情報毎に配置されるとともに、列方向において他の属性の付随情報毎に配置されたマトリクス状の一覧を表示させる表示制御部と、
操作者が行方向及び列方向の少なくとも一方の属性を変更する入力を行なう入力部と、
を備え、
前記表示制御部は、操作者が前記入力部を用いて変更した属性の付随情報毎に、前記簡易画像を再配置する
ことを特徴とする表示装置。
【請求項２】
前記入力部は、操作者が前記付随情報を選択する入力を行なうことが可能であり、
前記表示制御部は、操作者が前記入力部を用いて選択した付随情報を有する簡易画像のみからなる一覧を表示させる
ことを特徴とする請求項１に記載の表示装置。
【請求項３】
前記表示制御部は、前記操作者による前記入力部を用いた属性変更の前後において選択された異なる属性の付随情報を有する簡易画像のみからなる一覧を表示させることを特徴とする請求項２に記載の表示装置。
【請求項４】
前記入力部における前記付随情報を選択する入力は、前記一覧において所望の付随情報を指示する入力である請求項２又は３に記載の表示装置。
【請求項５】
複数の属性の付随情報をメタデータとして有する医療用データに基づく簡易画像の一覧を表示させる表示制御部であって、同一患者の前記簡易画像が、行方向において一の属性の付随情報毎に配置されるとともに、列方向において他の属性の付随情報毎に配置されたマトリクス状の一覧を表示部に表示させる表示制御部と、
前記表示部に表示された複数の属性の中から操作者が所望の属性を選択して、列方向及び行方向の少なくとも一方の属性を変更する入力と、前記表示部に表示された一覧において、所望の付随情報を選択する入力とを行なう入力部と、
を備え、
前記表示制御部は、前記入力部によって変更された属性の付随情報毎に、前記簡易画像を再配置し、前記入力部によって選択された付随情報を有する簡易画像のみからなる一覧を表示させる
ことを特徴とする表示装置。
【請求項６】
前記入力部は、操作者が該入力部を用いて変更した属性の付随情報を選択する入力を行なうことが可能であり、
前記表示制御部は、操作者が前記入力部を用いて選択した付随情報を有する簡易画像のみからなる一覧を表示させる
ことを特徴とする請求項１〜５のいずれか一項に記載の表示装置。
【請求項７】
前記入力部は、操作者が該入力部を用いて選択した付随情報の属性を変更する入力を行なうことが可能であり、
前記表示制御部は、操作者が前記入力部を用いて選択した付随情報の属性を変更する入力が行われると、変更後の属性の付随情報毎に前記簡易画像を再配置する
ことを特徴とする請求項２〜６のいずれか一項に記載の表示装置。
【請求項８】
前記表示制御部は、前記入力部において属性を変更する入力を行なうために、操作者が所望の属性を選択する入力を行なうことができる属性選択画像を、前記表示部に表示させることを特徴とする請求項１〜７のいずれか一項に記載の表示装置。
【請求項９】
前記属性選択画像に表示される属性は編集可能であることを特徴とする請求項８に記載の表示装置。
【請求項１０】
前記一覧において、前記簡易画像はサムネイル画像として表示されることを特徴とする請求項１〜９のいずれか一項に記載の表示装置。
【請求項１１】
前記入力部において選択された付随情報又は前記入力部によって変更された属性の付随情報が、前記一覧において表示される簡易画像の絞り込み条件として記憶される記憶部を備えることを特徴とする請求項２〜５のいずれか一項に記載の表示装置。
【請求項１２】
前記一覧は、前記付随情報の表示欄と前記簡易画像の表示欄とを含み、
前記表示制御部は、前記入力部において属性を変更する入力があると、変更された属性の付随情報を前記付随情報の表示欄に表示し、なおかつ前記簡易画像の表示欄において前記簡易画像を再配置する
ことを特徴とする請求項１〜１１のいずれか一項に記載の表示装置。
【請求項１３】
前記付随情報の表示欄には、列方向に同一の属性の付随情報が表示され、行方向に同一の属性の付随情報が表示されることを特徴とする請求項１２に記載の表示装置。
【請求項１４】
前記表示制御部は、前記一の属性の付随情報及び前記他の属性の付随情報の二つの付随情報から特定される簡易画像が複数ある場合、該複数の簡易画像のうちいずれか一つの簡易画像のみを表示させるとともに、該簡易画像の数を示す数表示を表示させることを特徴とする請求項１〜１３のいずれか一項に記載の表示装置。
【請求項１５】
前記医療用データには、文書データやモダリティで取得された医用画像データが含まれることを特徴とする請求項１〜１４のいずれか一項に記載の表示装置。
【請求項１６】
請求項１〜１５のいずれか一項に記載の表示装置と接続されたサーバを有する画像表示システムであって、前記サーバは、前記医療用データを記憶する記憶部を備えることを特徴とする画像表示システム。
【請求項１７】
前記サーバの記憶部には、操作者によって前記表示装置の前記入力部において選択された付随情報又は前記入力部によって変更された属性の付随情報が、前記一覧において表示される簡易画像の絞り込み条件として記憶されることを特徴とする請求項１６に記載の画像表示システム。
【発明の詳細な説明】
【技術分野】
【０００１】
本発明は、患者の簡易画像の一覧が表示される表示装置及び画像表示システムに関する。
【背景技術】
【０００２】
サーバ（ｓｅｒｖｅｒ）とネットワーク（Ｎｅｔｗｏｒｋ）を介して接続され、このサーバに記憶された医療用データに基づく画像を表示する表示装置が、例えば特許文献１に記載されている。
【０００３】
前記サーバに記憶された医療用データは、例えばＸ線ＣＴ（Ｃｏｍｐｕｔｅｄ  Ｔｏｍｏｇｒａｐｈｙ）装置で撮影されたＸ線ＣＴ画像やＭＲＩ（Ｍａｇｎｅｔｉｃ  Ｒｅｓｏｎａｎｃｅ  Ｉｍａｇｉｎｇ）装置で撮影されたＭＲＩ画像などの医用画像のデータである。この他、前記医療用データには、診療情報提供書など病院内で用いられる紙の文書がスキャン（ｓｃａｎ）されてデータ化されたものなども含まれる。
【先行技術文献】
【特許文献】
【０００４】
【特許文献１】特開２０１０−１８２０１８号公報
【発明の概要】
【発明が解決しようとする課題】
【０００５】
ところで、病院を訪れる患者について、非常に多くの医用画像や文書が作成されそのデータが保存されている場合がある。従って、それら多くのデータの中から必要なデータを容易に見つけ出すことができるようになっていることが要求される。
【課題を解決するための手段】
【０００６】
上述の課題を解決するためになされた一の観点の発明は、複数の属性の付随情報をメタデータとして有する医療用データに基づく簡易画像の一覧を表示させる表示制御部であって、同一患者の前記簡易画像が、行方向において一の属性の付随情報毎に配置されるとともに、列方向において他の属性の付随情報毎に配置されたマトリクス状の一覧を表示させる表示制御部と、操作者が行方向及び列方向の少なくとも一方の属性を変更する入力を行なう入力部と、を備え、前記表示制御部は、操作者が前記入力部を用いて変更した属性の付随情報毎に、前記簡易画像を再配置することを特徴とする表示装置である。
【０００７】
また、他の観点の発明は、前記一の観点の発明において、前記入力部は、操作者が前記付随情報を選択する入力を行なうことが可能であり、前記表示制御部は、操作者が前記入力部を用いて選択した付随情報を有する簡易画像のみからなる一覧を表示させることを特徴とする表示装置である。
【０００８】
また、他の観点の発明は、上述の観点の発明において、前記表示制御部は、前記操作者による前記入力部を用いた属性変更の前後において選択された異なる属性の付随情報を有する簡易画像のみからなる一覧を表示させることを特徴とする表示装置である。
【０００９】
また、他の観点の発明は、複数の属性の付随情報をメタデータとして有する医療用データに基づく簡易画像の一覧を表示させる表示制御部であって、同一患者の前記簡易画像が、行方向において一の属性の付随情報毎に配置されるとともに、列方向において他の属性の付随情報毎に配置されたマトリクス状の一覧を表示部に表示させる表示制御部と、前記表示部に表示された複数の属性の中から操作者が所望の属性を選択して、列方向及び行方向の少なくとも一方の属性を変更する入力と、前記表示部に表示された一覧において、所望の付随情報を選択する入力とを行なう入力部と、を備え、前記表示制御部は、前記入力部によって変更された属性の付随情報毎に、前記簡易画像を再配置し、前記入力部によって選択された付随情報を有する簡易画像のみからなる一覧を表示させることを特徴とする表示装置である。
【００１０】
また、他の観点の発明は、前記一の観点の発明において、前記入力部は、操作者がこの入力部を用いて変更した属性の付随情報を選択する入力を行なうことが可能であり、前記表示制御部は、操作者が前記入力部を用いて選択した付随情報を有する簡易画像のみからなる一覧を表示させることを特徴とする表示装置である。
【００１１】
また、他の観点の発明は、上述の観点の発明において、前記入力部は、操作者が該入力部を用いて選択した付随情報の属性を変更する入力を行なうことが可能であり、前記表示制御部は、操作者が前記入力部を用いて選択した付随情報の属性を変更する入力が行われると、変更後の属性の付随情報毎に前記簡易画像を再配置することを特徴とする表示装置である。
【発明の効果】
【００１２】
上記観点の発明によれば、前記属性を変更することができるので、必要な簡易画像を容易に見つけ出すことができるように、一覧を表示することができる。
【００１３】
上記他の観点の発明によれば、操作者が、前記入力部において、前記付随情報を選択する入力を行なうと、選択された付随情報を有する簡易画像のみからなる一覧が表示される。これにより、操作者が必要とする簡易画像のみが抽出された一覧を表示させることができる。
【００１４】
上記他の観点の発明によれば、前記操作者による前記入力部を用いた属性変更の前後において選択された異なる属性の付随情報を有する簡易画像のみからなる一覧が表示されることにより、操作者が必要とする簡易画像を表示することができる。
【００１５】
上記他の観点の発明によれば、前記表示部において属性の変更と付随情報の選択とを行なうことにより、画面上の簡単な操作によって操作者が必要とする簡易画像のみが抽出された一覧を表示させることができる。
【００１６】
上記他の観点の発明によれば、操作者が前記入力部を用いて属性を変更し、変更された属性の付随情報を選択する入力を行なうと、選択された付随情報を有する簡易画像のみからなる一覧が表示される。これにより、操作者が必要とする簡易画像のみをより容易に抽出することができる。
【００１７】
上記他の観点の発明によれば、操作者が前記入力部を用いて付随情報を選択し、選択した付随情報の属性を変更する入力を行なうと、変更後の属性の付随情報毎に再配置された簡易画像が表示される。これにより、操作者が必要とする簡易画像のみをより容易に抽出することができる。
【図面の簡単な説明】
【００１８】
【図１】実施形態に係る画像表示システムのブロック図である。
【図２】一覧が表示された表示部を示す図である。
【図３】第一実施形態における画像表示システムの動作を示すフローチャートである。
【図４】属性選択アイコンの上にカーソルが移動した状態の表示部を示す図である。
【図５】属性選択画像が表示された表示部を示す図である。
【図６】属性選択画像において、所望の属性の上にカーソルが置かれた状態の表示部を示す図である。
【図７】属性が変更された後の一覧が表示された表示部を示す図である。
【図８】一覧において、所望の付随情報が選択された状態の表示部を示す図である。
【図９】絞り込み表示ボタンにカーソルが置かれた状態の表示部を示す図である。
【図１０】選択された付随情報を有する簡易画像のみが表示された表示部を示す図である。
【図１１】属性を変更する入力を再度行なう場合の表示部を示す図である。
【図１２】属性が再度変更された後の一覧が表示された表示部を示す図である。
【図１３】一覧において、所望の付随情報が再度選択された状態の表示部を示す図である。
【図１４】選択された付随情報を有する簡易画像のみが表示された表示部を示す図である。
【図１５】メタデータ表示ボタンの上にカーソルが置かれた状態の表示部を示す図である。
【図１６】メタデータ表示画像が表示された表示部を示す図である。
【図１７】メタデータ表示画像においてＳａｖｅボタンにカーソルが置かれた状態の表示部を示す図である。
【図１８】絞り込み条件の名前を登録する名前登録画像が表示された表示部を示す図である。
【図１９】メタデータ表示画像に登録された名前が表示された状態の表示部を示す図である。
【図２０】ドラッグアンドドロップ操作によって検索ボタンに名前が表示された状態の表示部を示す図である。
【図２１】第二実施形態における画像表示システムの動作を示すフローチャートである。
【図２２】属性選択アイコンの上にカーソルが移動した状態の表示部を示す図である。
【図２３】属性選択画像において、所望の属性の上にカーソルが置かれた状態の表示部を示す図である。
【図２４】属性が変更された後の一覧が表示された表示部を示す図である。
【図２５】一覧において、所望の付随情報が選択された状態の表示部を示す図である。
【図２６】選択された付随情報を有する簡易画像のみが表示された表示部を示す図である。
【図２７】属性を変更する入力を再度行なう場合の表示部を示す図である。
【図２８】属性が再度変更された後の一覧が表示された表示部を示す図である。
【図２９】二つの付随情報の表示欄の属性を変更するための第一属性選択画像及び第二属性選択画像が表示された表示部を示す図である。
【図３０】二つの付随情報の表示欄の属性を変更することができる場合において、メタデータ表示画像が表示された表示部を示す図である。
【発明を実施するための形態】
【００１９】
以下、本発明の実施形態について説明する。
（第一実施形態）
先ず、第一実施形態について図１〜図２０に基づいて説明する。図１に示す画像表示システム１は、ネットワークＮを介して接続されたサーバ２と表示端末３とを備えている。前記サーバ２には、ネットワークＮを介して部門システム４が複数接続されている。前記画像表示システム１は、本発明に係る画像表示システムの実施の形態の一例である。また、前記表示端末３は、本発明に係る表示装置の実施の形態の一例である。
【００２０】
前記サーバ２は、記憶部２１、医療用データ出力部２２を有している。前記記憶部２１は、例えばＨＤＤ（Ｈａｒｄ  Ｄｉｓｋ  Ｄｒｉｖｅ）などである。前記記憶部２１には、前記各部門システム４から前記ネットワークＮを介して前記サーバ２に入力された医療用データなどが記憶されている。前記サーバ２は、本発明におけるサーバの実施の形態の一例であり、前記記憶部２１は、本発明における記憶部の実施の形態の一例である。
【００２１】
前記記憶部２１に記憶されている医療用データは、医療提供施設や検体検査を行なう検査施設などにおいて作成される患者に関係するデータであり、医用画像データ、文書データ、数値データなどである。医用画像データは、前記部門システム４のモダリティ等で取得されたデータであり、例えばＸ線ＣＴ画像、ＭＲＩ画像、超音波画像などの画像データである。文書データは、例えば読影レポート、診療情報提供書、手術同意書や検査同意書などの同意書、問診票、申込書、検査結果などのデータである。文書データには、紙の文書をスキャンしてデータ化されたＰＤＦ（Ｐｏｒｔａｂｌｅ  Ｄｏｃｕｍｅｎｔ  Ｆｏｒｍａｔ）データなども含まれる。また、数値データは、患者に関する数値のデータであり、例えば血液検査などの検査結果を示す数値のデータである。
【００２２】
前記医療用データには、上述において列記された前記医用画像データや前記文書データの他、心電図などの患者の生体情報の経過記録、その他患者に関係する記録のデータなども含まれる。
【００２３】
前記医療用データは、データ本体の他にメタデータ（ｍｅｔａｄａｔａ）を含んでいる。メタデータは、例えば患者の氏名、日付、文書種、文書分類、依頼科など、複数の属性の付随情報からなる。ここで、「付随情報」という語は、具体的な氏名、日付、文書種、文書分類、依頼科を意味し、属性は、これら付随情報の属性を意味する。例えば、「文書種」という属性の付随情報は、「ＣＴ」、「ＭＲＩ」などであり、「依頼科」という属性の付随情報は、「放射線科」、「循環器科」などである。メタデータは、属性の情報（例えば、「文書種」という情報）と、その属性の具体的な情報（すなわち付随情報、例えば「ＣＴ」という情報）とを含む概念である。
【００２４】
前記メタデータには、例えばＸ線ＣＴ装置等のモダリティ（ｍｏｄａｌｉｔｙ）など、前記部門システム４において自動的に付与されるものと、操作者が入力することにより付与されるものとが含まれる。
【００２５】
メタデータにおける日付は、例えば医療用データの作成日である。メタデータにおける日付には、日のみならず、年や時刻などが含まれていてもよい。医用画像データであれば、撮影日を作成日としてもよい。また、文書データであれば、文書を作成した日が作成日であってもよいし、文書をスキャンしてデータ化した日が作成日であってもよい。
【００２６】
また、前記メタデータにおける文書種は、医療用データの種類を示す情報であり、例えばＭＲＩ（Ｍａｇｎｅｔｉｃ  Ｒｅｓｏｎａｎｃｅ  Ｉｍａｇｉｎｇ）、ＵＳ（Ｕｌｔｒａｓｏｕｎｄ）などの医用画像の種類や、入院同意書、入院申込書、入院問診票、検査同意書、手術同意書などの文書の種類を示す情報である。また、前記メタデータにおける文書分類は、例えば同意書など、文書種の上位の概念を示す情報である。
【００２７】
また、前記メタデータにおける依頼科は、例えば放射線科、循環器科など、医療用データの作成を依頼した科を示す情報である。
【００２８】
前記メタデータにおける属性は、予め決められていてもよい。また、予め決められている場合でも、属性の追加や削除を行なうことができるようになっていてもよい。
【００２９】
前記医療用データ出力部２２は、前記表示端末３の要求に応じて、前記記憶部２１に記憶された医療用データを前記表示端末３へ出力する。
【００３０】
前記表示端末３は、汎用型のパーソナルコンピュータ（Ｐｅｒｓｏｎａｌ  Ｃｏｍｐｕｔｅｒ）である。この表示端末３は、表示部３１、表示制御部３２、入力部３３、データ要求部３４、メモリ（ｍｅｍｏｒｙ）３５を有している。
【００３１】
前記表示部３１は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）などである。
【００３２】
前記表示制御部３２は、図２に示すように、前記記憶部２１に記憶された医療用データに基づく同一患者の簡易画像Ｍの一覧Ｘを前記表示部３１の表示画面３１ａに表示させる。前記表示制御部３２は、本発明における表示制御部の実施の形態の一例である。
【００３３】
前記一覧Ｘは、付随情報の表示欄Ｃ１，Ｃ２と簡易画像の表示欄Ｃ３とを含む。これら付随情報の表示欄Ｃ１，Ｃ２及び簡易画像の表示欄Ｃ３は、升目で構成されている。前記付随情報の表示欄Ｃ１は、前記一覧Ｘにおいて、行方向（横方向）に並んだ一番上の行を構成する升目で構成されている。また、前記付随情報の表示欄Ｃ２は、前記一覧Ｘにおいて、列方向（縦方向）に並んだ一番左の列を構成する升目で構成されている。
【００３４】
前記表示制御部３２は、前記付随情報の表示欄Ｃ１に、同一の属性の付随情報を表示させる。また、前記表示制御部３２は、前記付随情報の表示欄Ｃ２にも、同一の属性の付随情報を表示させる。そして、前記付随情報の表示欄Ｃ１と前記付随情報の表示欄Ｃ２とでは、異なる属性の付随情報が表示される。図２では、前記付随情報の表示欄Ｃ１に文書種が表示され、前記付随情報の表示欄Ｃ２に日付（年月日）が表示されている。前記付随情報の表示欄Ｃ１に表示される付随情報は、本発明における一の属性の付随情報の実施の形態の一例である。また、前記付随情報の表示欄Ｃ２に表示される付随情報は、本発明における他の属性の付随情報の実施の形態の一例である。
【００３５】
前記付随情報の表示欄Ｃ１，Ｃ２の属性は変更することができる。前記付随情報の表示欄Ｃ１の左側であって、前記付随情報の表示欄Ｃ２の上側には、属性変更アイコン（ｉｃｏｎ）Ｉが表示されている。操作者は、この属性変更アイコンＩをクリック（ｃｌｉｃｋ）することにより、前記付随情報の表示欄Ｃ１，Ｃ２の属性を変更することができる。詳細は後述する。
【００３６】
また、前記簡易画像の表示欄Ｃ３には、医療用データに基づく簡易画像Ｍが表示される。簡易画像Ｍはサムネイル（ｔｈｕｍｂｎａｉｌ）画像などである。この簡易画像Ｍの作成について説明する。前記簡易画像の表示欄Ｃ３に表示される簡易画像Ｍが、前記医用画像データに基づく医用画像である場合、一検査において発生する複数枚の医用画像データの中から選ばれた一枚の医用画像データ（前記サーバ２から取得されたデータ）が選ばれる。一検査において発生する複数枚の医用画像データのうち、最初のデータや中間のデータなどが自動的に選ばれてもよい。そして、選ばれた一枚の医用画像データが、一覧Ｘにおいて表示するために適切なサイズ（ｓｉｚｅ）に変換される。このサイズは、一覧性を維持した状態で表示画面３１ａ上に配置できる程度のサイズである（例えば、６４×６４ピクセル（ｐｉｘｅｌ）、９６×９６ピクセルなど）。このようにして変換された医用画像データに基づく簡易画像Ｍが前記簡易画像の表示欄Ｃ３に表示される。また、前記簡易画像Ｍが文書データに基づく画像である場合において、もしも文書データが複数枚の文書のデータであれば、例えば一枚目の文書のデータが選ばれ、この選ばれたデータが、上述と同様に適切なサイズに変換される。そして、変換されたデータに基づく簡易画像Ｍが、前記簡易画像の表示欄Ｃ３に表示される。
【００３７】
また、簡易画像Ｍとして表示される医療用データが数値データである場合、この数値データの内容を示す画像が作成され、この画像が簡易画像Ｍとして表示される。例えば、数値データの内容を示す画像は、数値データの内容を示す文字からなる画像である。一例をあげると、血液検査の数値データについては、「血液検査」の文字からなる画像が、前記簡易画像Ｍとして表示される。
【００３８】
前記簡易画像の表示欄Ｃ３に表示された簡易画像Ｍを、操作者が前記入力部３３を用いてクリックすることにより、前記表示制御部３２は、拡大された簡易画像Ｍを表示させてもよい。
【００３９】
前記付随情報の表示欄Ｃ１には、前記簡易画像の表示欄Ｃ３の縦方向（列方向）における付随情報が表示される。また、前記付随情報の表示欄Ｃ２には、前記簡易画像の表示欄Ｃ３の横方向（行方向）における付随情報が表示される。前記簡易画像の表示欄Ｃ３においては、マトリックス（Ｍａｔｒｉｘ）状に簡易画像Ｍが配置されている。前記簡易画像の表示欄Ｃ３において、列方向においては、前記付随情報の表示欄Ｃ１に表示された付随情報を有する簡易画像Ｍが配置され、行方向においては、前記付随情報の表示欄Ｃ２に表示された付随情報を有する簡易画像Ｍが配置される。前記一覧Ｘにおいては、前記付随情報の表示欄Ｃ１及び前記付随情報の表示欄Ｃ２の二つの付随情報から特定される位置に前記簡易画像Ｍが配置されている。
【００４０】
具体的に図２においては、各文書種の簡易画像Ｍが列方向に並び、各日付の簡易画像Ｍが行方向に並んだ一覧Ｘが表示されている。一例をあげて説明すると、前記表示制御部３２は、簡易画像の表示欄Ｃ３において、前記付随情報の表示欄Ｃ１のうち「ＭＲＩ」が表示された列に、付随情報としてＭＲＩ画像を示す情報（ＭＲＩ）を有する医療用データに基づく簡易画像Ｍ（ＭＲＩ画像）を表示させる。また、前記表示制御部３２は、簡易画像の表示欄Ｃ３において、例えば前記付随情報の表示欄Ｃ２のうち「１８  Ｊａｎ  ２０１２」と表示された行に、付随情報として２０１２年１月１２日の日付情報を有する医療用データに基づく簡易画像Ｍを表示させる。このように、前記表示制御部３２は、前記簡易画像Ｍが、行方向に一の属性の付随情報毎に配置されるとともに、列方向に他の属性の付随情報毎に配置された前記一覧Ｘを表示させる。
【００４１】
前記表示制御部３２は、前記付随情報の表示欄Ｃ１，Ｃ２の属性が変更されると、それに合わせて前記簡易画像Ｍを再配置する。詳細は後述する。
【００４２】
前記一覧Ｘは、縦方向のスクロールバーＳＢ及び横方向のスクロールバー（図示省略）をスクロール（ｓｃｒｏｌｌ）することにより、スクロールさせることができる。
【００４３】
また、前記表示制御部３２は、前記一覧Ｘのほか、前記表示部３１に、期間画像Ｔや各種のボタンＢを表示させる。前記期間画像Ｔは、バーＢａと取得時指示ブロックＢｌとを有する。前記バーＢａは、前記表示部３１に一覧Ｘが表示されている患者について、前記サーバ２の記憶部２１に記憶された医療用データの付随情報の日付のうち、最も古い日から現在（一覧Ｘが表示されている現在）までの期間を示している。
【００４４】
また、前記バーＢａの上には、期間指示画像Ｔｉが表示される。この期間指示画像Ｔｉは、前記バーＢａにおける他の部分とは異なる色で表示される。前記期間指示画像Ｔｉは、前記表示部３１に表示されている簡易画像Ｍにおける付随情報の日付のうち、最も古い日からもっとも新しい日までの期間を示す。前記期間指示画像Ｔｉは、前記一覧Ｘが縦方向にスクロールされると、それに伴って前記バーＢ上を移動する。
【００４５】
前記取得時指示ブロックＢｌは、前記期間画像Ｔが示す期間において、前記医療用データにおける付随情報の日付を示す。この取得時指示ブロックＢｌにより、医療用データがいつ作成されているかを知ることができる。
【００４６】
前記入力部３３は、キーボード（ｋｅｙｂｏａｒｄ）やマウス（ｍｏｕｓｅ）などで構成されている。前記入力部３３は、本発明における入力部の実施の形態の一例である。前記データ要求部３４は、前記入力部３３における操作者の入力に基づいて、前記サーバ２へ医療用データを要求する信号を出力する。
【００４７】
前記部門システム４は、例えばＸ線ＣＴ装置やＭＲＩ装置等のモダリティなどを含む放射線科情報システム（ＲＩＳ：Ｒａｄｉｏｌｏｇｙ  Ｉｎｆｏｒｍａｔｉｏｎ  Ｓｙｓｔｅｍ）や臨床検査システムなどの病院内における部門システムである。
【００４８】
次に、本例の画像表示システム１の動作について図３のフローチャートに基づいて説明する。先ず、ステップＳ１では、前記表示制御部３２は、ある患者Ｐについての一覧Ｘを前記表示部３１に表示させる（図２参照）。具体的には、先ず操作者が前記表示端末３の入力部３３において、氏名やＩＤなどの患者Ｐの特定情報を入力する。次に、前記データ要求部３４は、特定情報が入力された前記患者Ｐに関する医療用データを前記サーバ２に対して要求する。前記サーバ２の医療用データ出力部２２は、前記データ要求部３４の要求に基づいて、前記記憶部２１に記憶されている前記患者Ｐの全ての医療用データを前記表示端末３に出力する。前記医療用データは、前記患者Ｐについて異なる時に複数作成されているものとする。
【００４９】
前記表示制御部３２は、前記サーバ２から入力された前記医療用データに基づいて、前記一覧Ｘを前記表示部３１に表示させる。また、前記表示制御部３２は、前記一覧Ｘのほか、前記期間画像Ｔや前記ボタンＢなどを前記表示部３１に表示させる。前記表示制御部３２は、付随情報における日付の情報を用いて前記期間画像Ｔを表示させる。
【００５０】
次に、ステップＳ２では、操作者は、前記入力部３３において、前記付随情報の表示欄Ｃ１の属性を変更する入力を行なう。具体的には、操作者は、先ず図４に示すように、前記入力部３３を用いてカーソルＣＵを前記属性変更アイコンＩの上に移動させる。そして、属性変更アイコンＩがクリックされると、前記表示制御部３２は、図５に示すように、属性選択画像Ｓを表示させる。
【００５１】
前記属性選択画像Ｓは、付随情報の属性のリストｌを含んでいる。図５では、このリストｌにおける属性として、「Ｄｏｃｕｍｅｎｔ  Ｃｌａｓｓ」（文書種）、「Ｐｒａｃｔｉｃｅ  Ｓｅｔｔｉｎｇ」（依頼科）、「Ｔｙｐｅ  Ｃｏｄｅ」（文書分類）が表示されている。図５では、前記付随情報の表示欄Ｃ１に現在表示されている属性である「Ｄｏｃｕｍｅｎｔ  Ｃｌａｓｓ」が、前記リストｌにおいて反転表示されている。
【００５２】
ちなみに、前記属性選択画像Ｓに表示される付随情報の属性は、上述の三つに限られない。他の属性が前記属性選択画像Ｓにおいて表示されていてもよい。また、操作者が前記入力部３３を用いて、前記属性選択画像Ｓに表示される属性を編集（追加又は削除）することができるようになっていてもよい。
【００５３】
次に、操作者は、図６に示すように、前記リストｌにおいて所望の属性の上に前記カーソルＣＵを合わせクリックする。ここでは、操作者は前記一覧Ｘにおいて、依頼科毎に簡易画像Ｍを表示させたいものとする。従って、図６では、「Ｐｒａｃｔｉｃｅ  Ｓｅｔｔｉｎｇ」の上に前記カーソルＣＵが置かれている。
【００５４】
ステップＳ２において、属性を変更する入力として、前記リストｌにおいて前記カーソルＣＵが置かれてクリックされると、ステップＳ３では、前記表示制御部３２は、図７に示すように、選択された属性の付随情報毎に前記簡易画像Ｍを再配置した一覧Ｘを表示させる。ここでは、前記ステップＳ２において「Ｐｒａｃｔｉｃｅ  Ｓｅｔｔｉｎｇ」が選択されたので、前記付随情報の表示欄Ｃ１には依頼科が表示され、なおかつ各依頼科の簡易画像Ｍが縦方向（列方向）に並んだ一覧Ｘが表示されている。
【００５５】
このように属性が変更できるようになっているので、操作者が必要とする簡易画像を容易に見つけ出して選択することができるように、一覧Ｘを表示させることができる。
【００５６】
ここで、前記付随情報の表示欄Ｃ１に表示された付随情報及び前記付随情報の表示欄Ｃ２に表示された付随情報の二つの付随情報から特定される簡易画像Ｍが複数ある場合、前記簡易画像の表示欄Ｃ３における一つの升目に表示すべき簡易画像Ｍは、複数あることになる。この場合、前記表示制御部３２は、複数の簡易画像Ｍのうち、いずれか一つの簡易画像Ｍのみを一つの升目に表示するとともに、いくつの簡易画像があるかを示す数表示Ｆを表示させる。この数表示Ｆは、本発明における数表示の実施の形態の一例である。
【００５７】
具体的には、図７において、前記付随情報の表示欄Ｃ１に表示された付随情報が「３病棟」であり、なおかつ前記付随情報の表示欄Ｃ２に表示された付随情報が「２２  Ｊａｎ  ２０１２」に該当する簡易画像の表示欄Ｃ３には、簡易画像Ｍが一つのみ表示され、前記数表示Ｆとして「４ｉｔｅｍｓ」の文字が表示される。これは、依頼科が「３病棟」であり、日付が「２０１２年１月２２日」である簡易画像Ｍが四つあることを意味する。また、前記付随情報の表示欄Ｃ１に表示された付随情報が「放射線科」であり、なおかつ前記付随情報の表示欄Ｃ２に表示された付随情報が「２２  Ｊａｎ  ２０１２」に該当する簡易画像の表示欄Ｃ３には、簡易画像Ｍが一つのみ表示され、前記数表示Ｆとして「７ｉｔｅｍｓ」の文字が表示される。これは、依頼科が「放射線科」であり、日付が「２０１２年１月２２日」である簡易画像Ｍが七つあることを意味する。さらに、前記付随情報の表示欄Ｃ１に表示された付随情報が「循環器科」であり、なおかつ前記付随情報の表示欄Ｃ２に表示された付随情報が「２２  Ｊａｎ  ２０１２」に該当する簡易画像の表示欄Ｃ３には、簡易画像Ｍが一つのみ表示され、前記数表示Ｆとして「２ｉｔｅｍｓ」の文字が表示される。これは、依頼科が「循環器科」であり、日付が「２０１２年１月２２日」である簡易画像Ｍが二つあることを意味する。
【００５８】
次に、ステップＳ４では、操作者は、前記一覧Ｘにおいて、所望の付随情報を選択する。具体的には、図８に示すように、操作者は、前記付随情報の表示欄Ｃ１に表示された付随情報のうち、所望の付随情報の上にカーソルＣＵを移動させクリックする。クリックされた付随情報は反転表示される。ここでは、「放射線科」及び「循環器科」が選択されている。
【００５９】
ただし、前記付随情報の表示欄Ｃ１ではなく、前記簡易画像の表示欄Ｃ３に前記カーソルＣＵを移動させてクリックすることにより、クリックされた列の付随情報が選択されてもよい。
【００６０】
次に、ステップＳ５においては、操作者はステップＳ４において選択された付随情報を有する簡易画像Ｍのみが表示された一覧Ｘを表示させる。具体的には、図９に示すように、「放射線科」及び「循環器科」が選択された状態で、操作者は、前記入力部３３を用いて、前記表示部３１の絞り込み表示ボタンＢ１にカーソルＣＵを合わせてこの絞り込み表示ボタンＢ１をクリックする。この絞り込み表示ボタンＢ１がクリックされると、前記表示制御部３２は、図１０に示すように、「放射線科」及び「循環器科」の簡易画像Ｍのみが表示された一覧Ｘを表示させる。
【００６１】
次に、ステップＳ６では、操作者は、前記ステップＳ２と同様の操作を行なって、前記付随情報の表示欄Ｃ１の属性を変更する入力を再度行なう。ここでは、図１１に示すように、属性選択画像Ｓにおいて、「Ｄｏｃｕｍｅｎｔ  Ｃｌａｓｓ」を選択する。
【００６２】
前記ステップＳ６において、「Ｄｏｃｕｍｅｎｔ  Ｃｌａｓｓ」が選択されると、ステップＳ７では、前記表示制御部３２は、図１２に示すように、前記付随情報の表示欄Ｃ１には文書種が表示され、なおかつ前記簡易画像の表示欄Ｃ３において、各文書種の簡易画像Ｍが列方向に並んだ一覧Ｘを表示させる。
【００６３】
次に、ステップＳ８では、操作者は、前記ステップＳ７において表示された前記一覧Ｘにおいて、前記ステップＳ４と同様の操作を行なって、所望の付随情報を再度選択する。ここでは、図１３に示すように、前記カーソルＣＵを用いて、「ＣＴ」、「３Ｄ」及び「ＣＴレポート」が選択される。
【００６４】
次に、ステップＳ９では、操作者は、前記ステップＳ５と同様に、前記絞り込み表示ボタンＢ１をクリックして、前記ステップＳ８において選択された付随情報を有する簡易画像Ｍのみが表示された一覧Ｘを図１４に示すように表示させる。
【００６５】
以上により、前記図１４に示すように、依頼科が放射線科及び循環器科であり、文書種がＣＴ画像、３Ｄ画像及びＣＴレポートである簡易画像Ｍが、前記一覧Ｘにおいて表示される。この一覧Ｘにおいて表示されている簡易画像Ｍは、属性変更の前後における前記ステップＳ４，Ｓ８において選択された異なる属性（依頼科と文書種）の付随情報を有する簡易画像である。ステップＳ１０では、操作者は、前記ステップＳ４，Ｓ８において選択された付随情報を、後で再び同じ簡易画像Ｍが表示された一覧Ｘを表示させるための簡易画像Ｍの絞り込み条件として記憶する操作を行なう。
【００６６】
前記ステップＳ１０における操作について具体的に説明する。先ず、操作者は、図１５に示すように、前記入力部３３を用いてカーソルＣＵをメタデータ表示ボタンＢ２の上に移動させる。そして、このメタデータ表示ボタンＢ２がクリックされると、前記表示制御部３２は、図１６に示すようにメタデータ表示画像ＭＤを表示させる。このメタデータ表示画像ＭＤは、前記ステップＳ４，Ｓ８において選択された付随情報が表示された画像であり、絞り込み条件としての付随情報が表示された画像である。具体的には、絞り込み条件は、「放射線科」、「循環器科」、「ＣＴ」、「３Ｄ」、「ＣＴレポート」である。この絞り込み条件を追加したり、削除したりすることができるようになっていてもよい。
【００６７】
ちなみに、前記メタデータ表示画像ＭＤにおいて、「Ｄｏｃｕｍｅｎｔ  Ｃｌａｓｓ」の欄の左側のチェックボックスＣＢには、チェックマークＣＭ（レ点）が表示されている。絞り込み条件を登録する時に表示されている一覧Ｘにおける属性は、操作者が最終的に表示させたい簡易画像Ｍのみが表示される属性、すなわち操作者が必要とする簡易画像Ｍのみが表示される属性である。前記表示制御部３２は、前記メタデータ表示画像ＭＤにおいて、絞り込み条件を登録する時に表示されている属性に、前記チェックマークＣＭを表示させる。
【００６８】
図１７に示すように、操作者がこのメタデータ表示画像ＭＤにおいて表示されたＳａｖｅボタンＢ３にカーソルＣＵを合わせてクリックすると、前記表示制御部３２は、図１８に示すように、絞り込み条件の名前を登録する名前登録画像Ｒを表示させる。操作者が、前記名前登録画像Ｒの名前入力欄Ｃｎ１に名前を入力してＯＫボタンＢｏｋを押すと、名前の登録が完了する。ここでは、名前として「ｓｅｔ３」が登録されている。
【００６９】
名前の登録が完了すると、図１９に示すように、登録された名前が、前記メタデータ表示画像ＭＤの名前表示欄Ｃｎ２に表示され、メタデータ表示画像ＭＤにおいて表示された付随情報が、絞り込み条件として前記メモリ３５及び前記サーバ２の記憶部２１に記憶される。また、図２０に示すように、前記名前表示欄Ｃｎ２にカーソルＣＵを合わせてドラッグ（ｄｒａｇ）し、検索ボタンＢ４においてドロップ（ｄｒｏｐ）すると、検索ボタンＢ４に名前（「ｓｅｔ３」）が表示される。この検索ボタンＢ４が押されることにより、前記表示制御部３２は、「ｓｅｔ３」の名前で記憶された絞り込み条件（「放射線科」、「循環器科」、「ＣＴ」、「３Ｄ」、「ＣＴレポート」）を付随情報として有する簡易画像Ｍの一覧Ｘを表示させる。
【００７０】
ちなみに、前記検索ボタンＢ４は複数あり（図では五つ）、複数の絞り込み条件を登録することができるようになっている。
【００７１】
以上説明した本例によれば、前記表示部３１の表示画面３１ａ上で属性の変更と付随情報の選択を繰り返すことにより、画面上の簡単な操作によって、多くの簡易画像Ｍの中から操作者が必要とする簡易画像Ｍのみが抽出された一覧Ｘを表示させることができる。
【００７２】
また、簡易画像Ｍの絞り込み条件を記憶しておき、前記検索ボタンＢ４を表示しておくことにより、前記付随情報の表示欄Ｃ１の属性を変更したり、付随情報の選択をしたりしなくても、前記検索ボタンＢ４を押すのみで、操作者が必要とする簡易画像Ｍを有する一覧Ｘを簡単に表示させることができる。
【００７３】
（第二実施形態）
次に、第二実施形態について、図２１〜図２８に基づいて説明する。第二実施形態の画像表示システム１は、第一実施形態と同一の構成である。以下、第二実施形態の画像表示システム１の作用について、図２１のフローチャートに基づいて説明する。
【００７４】
図２１において、ステップＳ１１では、図３のステップＳ１と同様にして患者Ｐについての一覧Ｘ、前記期間画像Ｔ、前記ボタンＢなどが表示される。このステップＳ１１においても、前記図２に示すように、前記付随情報の表示欄Ｃ１には文書種が表示され、前記付随情報の表示欄Ｃ２には日付が表示されているものとする。
【００７５】
次に、ステップＳ１２では、操作者は、前記入力部３３において、前記付随情報の表示欄Ｃ１の属性を変更する入力を行なう。このステップＳ１２では、属性を文書分類に変更する。具体的な操作は前記ステップＳ２と同様であり、図２２に示すように、操作者は、前記カーソルＣＵを前記属性変更アイコンＩの上に移動させてクリックし、図２３に示すように前記属性選択画像Ｓを表示させる。そして、操作者は、この属性選択画像Ｓにおいて、「Ｔｙｐｅ  Ｃｏｄｅ」の上に前記カーソルＣＵを置いてクリックする。
【００７６】
ここで、図２２において一部拡大して示すように、付随情報の表示欄Ｃ１には、「入院同意書」、「室料差額支払同意書」、「検査同意書」、「手術同意書」、「特定生物由来製品使用同意書」など、複数の同意書が別々に表示されている。前記ステップＳ１２において、「Ｔｙｐｅ  Ｃｏｄｅ」がクリックされると、ステップＳ１３では、前記表示制御部３２は、図２４に示すように、各文書分類の簡易画像Ｍが列方向に並んだ一覧Ｘを表示させる。
【００７７】
上述の「入院同意書」、「室料差額支払同意書」、「検査同意書」、「手術同意書」、「特定生物由来製品使用同意書」は、文書分類においては、いずれも「同意書」である。従って、属性が変更された後の一覧Ｘにおいては、上述の各同意書は、同意書として一つにまとめられる。そして、「同意書」及び「１５  Ｊａｎ  ２０１２」に該当する前記簡易画像の表示欄Ｃ３には、前記数表示Ｆとして「５ｉｔｅｍｓ」の文字が表示される。これにより、操作者は、五つの同意書が存在していることを把握することができる。
【００７８】
次に、ステップＳ１４では、操作者は、図２５に示すように、前記一覧Ｘにおいて、「同意書」、「申込書」、「問診表」をカーソルＣＵによって選択する。次に、ステップＳ１５では、前記表示制御部３２は、図２６に示すように、前記ステップＳ１４において選択された「同意書」、「申込書」、「問診表」の簡易画像Ｍのみが表示された一覧Ｘを表示させる。前記表示制御部３２は、上述の図２における前記ステップＳ５と同様に、前記絞り込み表示ボタンＢ１がクリックされると、「同意書」、「申込書」、「問診票」の簡易画像Ｍのみが表示された一覧Ｘを表示させる。
【００７９】
次に、ステップＳ１６では、操作者は前記付随情報の表示欄Ｃ１の属性を変更する入力を再度行なう。ここでは、図２７に示すように、属性選択画像Ｓにおいて「Ｄｏｃｕｍｅｎｔ  Ｃｌａｓｓ」を選択する。前記ステップＳ１６において、「Ｄｏｃｕｍｅｎｔ  Ｃｌａｓｓ」が選択されると、ステップＳ１７では、図２８に示すように、前記付随情報の表示欄Ｃ１には文書種が表示され、なおかつ前記簡易画像の表示欄Ｃ３において、各文書種の簡易画像Ｍが列方向に並んだ一覧Ｘを表示させる。この一覧Ｘでは、「入院同意書」、「室料差額支払同意書」、「入院申込書」、「入院問診票」「検査同意書」、「手術同意書」、「特定生物由来製品使用同意書」の簡易画像Ｍが表示されている。
【００８０】
次に、ステップＳ１８では、上述の図２における前記ステップＳ１０と同様に、前記簡易画像Ｍの絞り込み条件を記憶する操作を行なう。本例では、前記一覧Ｘにおいて表示された付随情報を前記絞り込み条件として記憶する。具体的な操作方法は、前記ステップＳ１０と同様であり、ここでは説明を省略する。
【００８１】
本例によれば、第一実施形態と同一の効果を有するほか、前記図２２に示されているように複数の同意書が別々に表示され、操作者が見逃してしまうような場合であっても、前記図２４に示されているように同意書をまとめて表示することができる。これにより、全ての同意書をもれなく表示することができる。
【００８２】
以上、本発明を前記実施形態によって説明したが、本発明はその主旨を変更しない範囲で種々変更実施可能なことはもちろんである。例えば、前記付随情報の表示欄Ｃ１の属性ではなく、前記付随情報の表示欄Ｃ２の属性が変更できるようになっていてもよい。
【００８３】
また、前記付随情報の表示欄Ｃ１及び前記付随情報の表示欄Ｃ２のそれぞれの属性を変更することができるようになっていてもよい。この場合、例えば図２９に示すように、前記属性変更アイコンＩがクリックされると、前記表示制御部３２は第一属性選択画像Ｓ１及び第二属性選択画像Ｓ２を表示させる。前記第一属性選択画像Ｓ１は、前記付随情報の表示欄Ｃ１の属性を変更するための画像である。前記第二属性選択画像Ｓ２は、前記付随情報の表示欄Ｃ２の属性を変更するための画像である。
【００８４】
これら第一属性選択画像Ｓ１及び第二属性選択画像Ｓ２における属性のリストｌには、「Ｄｏｃｕｍｅｎｔ  Ｃｌａｓｓ」、「Ｐｒａｃｔｉｃｅ  Ｓｅｔｔｉｎｇ」、「Ｔｙｐｅ  Ｃｏｄｅ」の他、「Ｃｒｅａｔｉｏｎ  Ｄａｔｅ」が表示されている。この「Ｃｒｅａｔｉｏｎ  Ｄａｔｅ」は、医療用データの作成日を意味している。図２９では、前記付随情報の表示欄Ｃ１の属性が文書種であり、前記付随情報の表示欄Ｃ２の属性が日付になっている。従って、前記第一属性選択画像Ｓ１の前記リストｌにおいては、「Ｄｏｃｕｍｅｎｔ  Ｃｌａｓｓ」が反転表示されている。また、前記第二属性選択画像Ｓ２の前記リストｌにおいては、「Ｃｒｅａｔｉｏｎ  Ｄａｔｅ」が反転表示されている。操作者は、例えば前記付随情報の表示欄Ｃ１の属性を文書分類に変えたい場合、前記リストｌにおいて「Ｔｙｐｅ  Ｃｏｄｅ」をクリックする。また、操作者は、前記付随情報の表示欄Ｃ２の属性を依頼科に変えたい場合、前記リストｌにおいて「Ｐｒａｃｔｉｃｅ  Ｓｅｔｔｉｎｇ」をクリックする。これにより、前記付随情報の表示欄Ｃ１の属性が文書種から文書分類に変わり、前記付随情報の表示欄Ｃ２の属性が日付から依頼科に変わる。
【００８５】
また、このように前記付随情報の表示欄Ｃ１及び前記付随情報の表示欄Ｃ２のそれぞれの属性を変更することができるようになっている場合、前記付随情報の表示欄Ｃ１及び前記付随情報の表示欄Ｃ２のそれぞれおいて選択された付随情報又は前記一覧Ｘにおいて表示されている付随情報を、後で再び同じ簡易画像Ｍが表示された一覧Ｘを表示させるための簡易画像Ｍの絞り込み条件として記憶することができる。
【００８６】
具体的には、前記メタデータ表示ボタンＢ２がクリックされると、前記表示制御部３２は、図３０に示すようにメタデータ表示画像ＭＤ′を表示させる。このメタデータ表示画像ＭＤ′においては、前記付随情報の表示欄Ｃ１に表示されている属性を示すチェックマークＣＭを表示するためのチェックボックスＣＢ１（図において「横」の文字の下方）と、前記付随情報の表示欄Ｃ２に表示されている属性を示すチェックマークＣＭを表示するためのチェックボックスＣＢ２（図において「縦」の文字の下方）とが表示されている。図３０では、前記付随情報の表示欄Ｃ１には文書種が表示されているので、四つのチェックボックスＣＢ１のうち、「Ｄｏｃｕｍｅｎｔ  Ｃｌａｓｓ」の横のチェックボックスＣＢ１にチェックマークＣＭが表示されている。また、前記付随情報の表示欄Ｃ２には日付が表示されているので、四つのチェックボックスＣＢ２のうち、「Ｄｏｃｕｍｅｎｔ  Ｃｒｅａｔｉｏｎ  Ｄａｔｅ」の横のチェックボックスＣＢ２にチェックマークＣＭが表示されている。このようなメタデータ表示画像ＭＤ′において、前記ステップＳ１０と同様の操作を行なうことにより、絞り込み条件が記憶される。
【符号の説明】
【００８７】
１  画像表示システム
２  サーバ
３  表示端末
２１  記憶部
３１  表示部
３２  表示制御部
３３  入力部
３５  メモリ
Ｘ  一覧
Ｍ  簡易画像
Ｃ１，Ｃ２  付随情報の表示欄
Ｃ３  簡易画像の表示欄
Ｓ  属性選択画像
【図１】
2014023687.tif 000003
【図２】
2014023687.tif 000004
【図３】
2014023687.tif 000005
【図４】
2014023687.tif 000006
【図５】
2014023687.tif 000007
【図６】
2014023687.tif 000008
【図７】
2014023687.tif 000009
【図８】
2014023687.tif 000010
【図９】
2014023687.tif 000011
【図１０】
2014023687.tif 000012
【図１１】
2014023687.tif 000013
【図１２】
2014023687.tif 000014
【図１３】
2014023687.tif 000015
【図１４】
2014023687.tif 000016
【図１５】
2014023687.tif 000017
【図１６】
2014023687.tif 000018
【図１７】
2014023687.tif 000019
【図１８】
2014023687.tif 000020
【図１９】
2014023687.tif 000021
【図２０】
2014023687.tif 000022
【図２１】
2014023687.tif 000023
【図２２】
2014023687.tif 000024
【図２３】
2014023687.tif 000025
【図２４】
2014023687.tif 000026
【図２５】
2014023687.tif 000027
【図２６】
2014023687.tif 000028
【図２７】
2014023687.tif 000029
【図２８】
2014023687.tif 000030
【図２９】
2014023687.tif 000031
【図３０】
2014023687.tif 000032